(57)【要約】      （修正有）【課題】修正テープの付加機能を増加させ、その商品価値を向上させるために、装飾片を結合することが可能な修正テープの構造を提供する。【解決手段】内部の収納空間１１にテープフィーダーおよびテープ巻取り機構があり、片側にテープ出口１１１があり、テープガイド１４が伸びて、少なくとも１つの表面の周縁内に窪み部１１５があり、かつ該表面の片側に軸穴１１７が開けられた本体と、該窪み部および該軸穴に対応してそれぞれ覗き窓および軸が設けられ、該軸は、軸穴に接続され、該回転蓋２が本体に対応して回転可能な状態にすることができる回転蓋とを含み、表面にデザインのある装飾片３を該窪み部内に置いてから、該回転蓋を回転させ、その覗き窓と装飾片を対応させ、かつ回転蓋の反対側の可動側を本体に結合させ、該装飾片が本体と回転蓋の間に覆われるようにしている。【選択図】図１
0003129813.tif 000002
【実用新案登録請求の範囲】
【請求項１】
内部の収納空間にテープフィーダーおよびテープ巻取り機構があり、片側にテープ出口があり、テープガイドが伸びて、少なくとも１つの表面の周縁内に窪み部があり、かつ該表面の片側に軸穴が開けられた本体と、該窪み部および該軸穴に対応してそれぞれ覗き窓および軸が設けられ、該軸は、軸穴に接続され、該回転蓋が本体に対応して回転可能な状態にすることができる回転蓋とを含み、表面にデザインのある装飾片を該窪み部内に置いてから、該回転蓋を回転させ、その覗き窓と装飾片を対応させ、かつ回転蓋の反対側の可動側を本体に結合させ、該装飾片が本体と回転蓋の間に覆われるようにした修正テープの構造。
【請求項２】
請求項１記載の修正テープの構造において、該窪み部の造形が本体と同じであるまたは異なる修正テープの構造。
【請求項３】
請求項１記載の修正テープの構造において、さらにカートリッジを含み、該カートリッジは抜き差しする方法で、該本体の収納空間内に結合し、該カートリッジ内部でテープフィーダーおよびテープ巻取り機構と接続し、修正テープ体をその前方に取り付けられたテープガイドに巻き込み、その外側に柔軟留め具を設け、該カートリッジは本体の片側の開口部から挿入し、該柔軟留め具を本体に留め、該収納空間内に収納し、かつ該テープガイドを本体の反対側のテープ出口に伸ばすことを含む修正テープの構造。
【請求項４】
請求項３記載の修正テープの構造において、該柔軟留め具の上方に隆起したボタンがあり、下方にはフックが延伸し、かつ該フックを該収納空間の底部内側の溝に留める修正テープの構造。
【請求項５】
請求項１記載の修正テープの構造において、該窪み部周縁に窪み状の凹みがある修正テープの構造。
【請求項６】
請求項１記載の修正テープの構造において、該軸穴周縁に円弧形の位置決め溝が別途設けられ、回転蓋内側の軸周縁にほぞが突き出し、該位置決め溝に入り込み、該位置決め溝の両端の縁を回転の限界とする修正テープの構造。
【請求項７】
請求項１記載の修正テープの構造において、該回転蓋の覗き窓を透明窓シートと結合した修正テープの構造。
【請求項８】
請求項１記載の修正テープの構造において、該回転蓋の軸が円弧柱および２つの柱フックの互いの間隔で囲まれることにより構成された修正テープの構造。
【請求項９】
請求項１記載の修正テープの構造において、該回転蓋の片側の可動側に接合片を設け、形成された水平方向の接合溝内に突起点があり、本体の片側の開口部の端に嵌合片があり、スリットが設けられ、該嵌合片を接合溝内に差し込み、かつ突起点がスリットに引っかかり、ロック状態を形成する修正テープの構造。
【請求項１０】
請求項１記載の修正テープの構造において、該回転蓋の内側の底縁に長弧形のエッジを設け、本体の底面に窪み状の長弧形のストッパーを形成し、両者が互いに接触した時を、回転して閉じる限界とする修正テープの構造。
【請求項１１】
請求項１記載の修正テープの構造において、該装飾片のデザインが文字、模様、図案または使用者が自ら準備した写真である修正テープの構造。
【考案の詳細な説明】
【技術分野】
【０００１】
本考案は、修正テープに関し、特に修正テープの付加機能を増加させ、その商品価値を向上させるために、装飾片を結合することが可能な修正テープの構造に関する。
【背景技術】
【０００２】
修正テープは、我々の生活の周辺で多く見られるものであり、特に著作、製図を行なう人、乃至は一般の学生にとって、必携の工具の１つと言える。その原因を探求すると、見せたくない部分を覆い隠す機能があり、かつ素早く使えるため、従来の消しゴムのように、紙を損ねる虞がなく、今日では、各文具店または書店で販売されているのが見られる。
【０００３】
公知の修正テープは、基本的には、本体および先端のテープ出口(またはテープ口)の組み合わせにより構成され、該本体内部にはテープフィーダーおよびテープ巻取り機構があり、修正テープ体は、テープ出口のテープガイドに巻き込まれる。こうして、我々が使用する際に、該テープガイドの端を消したい部分に押し付け、後ろ向きに移動させると、修正テープ体から剥離したフィルムにより、見せたくない部分が覆い隠される。
【０００４】
一般的に、修正テープの本体表面には、通常、文字、図案または模様などのデザインが印刷されており、標示または修飾に用いられているが、従来の方法は、平版印刷またはスクリーン印刷の方式で、デザインを本体表面に印刷するか、またはデザインをシールなどのシート状の材料に印刷してから本体表面に貼る業者もある。こうすることにより、デザインを修正テープの本体表面に付着させることができるが、これらのデザインは、いずれも業者が出荷前に完成させているため、消費者が使用する修正テープは、どれも同じで、全く特色がなく、個性的ではなく、玉に瑕である。そのため、使用者が修正テープなどの事務用品の表面を、好きなデザインと結合させることができれば、同類の製品にとって画期的なこととなる。
【考案の開示】
【考案が解決しようとする課題】
【０００５】
これに鑑み、出願者は、長年にわたり文具製品の開発と販売に従事してきた経験により、研究を行ない、上記の修正テープのデザインがいずれも業者が印刷したものであるという欠点を克服するため、再三検討し、本考案の「修正テープの構造」が創作された。
【課題を解決するための手段】
【０００６】
本考案の主な目的は、内部の収納空間にテープフィーダーおよびテープ巻取り機構があり、片側にテープ出口がありテープガイドが伸びて、少なくとも１つの表面の周縁内に窪み部があり、かつ該表面の片側に軸穴が開けられた本体と、該窪み部および該軸穴に対応してそれぞれ覗き窓および軸が設けられ、該軸は、軸穴に接続され、該回転蓋が本体に対応して回転可能な状態にすることができる回転蓋とを含み、表面にデザインのある装飾片を該窪み部内に置いてから、該回転蓋を回転させ、その覗き窓と装飾片を対応させ、かつ回転蓋の反対側の可動側を本体に結合させ、該装飾片が本体と回転蓋の間に覆われるようにした修正テープの構造を提供することである。
【０００７】
本考案の二次的な目的は、カートリッジを含み、該カートリッジは抜き差しする方法で、該本体の収納空間内に結合し、該カートリッジ内部でテープフィーダーおよびテープ巻取り機構と接続し、修正テープ体をその前方に取り付けられたテープガイドに巻き込み、その外側に柔軟留め具を設け、該カートリッジは本体の片側の開口部から挿入し、該柔軟留め具を本体に留め、該収納空間内に収納し、かつ該テープガイドを本体の反対側のテープ出口に伸ばすことを含む修正テープの構造を提供することである。そのうち、該該柔軟留め具の上方に隆起したボタンがあり、下方にはフックが延伸し、かつ該フックは該収納空間の底部内側の溝に留める。
【０００８】
本考案のもう１つの目的は、該軸穴周縁に円弧形の位置決め溝が別途設けられ、回転蓋内側の軸周縁にほぞが突き出し、該位置決め溝に入り込み、該位置決め溝の両端の縁を回転の限界とする修正テープの構造を提供することである。
【０００９】
本考案のさらにもう１つの目的は、該回転蓋の覗き窓を透明窓シートと結合した修正テープの構造を提供することである。また、該回転蓋の軸は、円弧柱および２つの柱フックの互いの間隔で囲まれることにより構成されている。
【００１０】
本考案のもう１つの目的は、該回転蓋の片側の可動側に接合片を設け、形成された水平方向の接合溝内に突起点があり、本体の片側の開口部の端に嵌合片があり、スリットが設けられ、該嵌合片を接合溝内に差し込み、かつ突起点がスリットに引っかかり、ロック状態を形成する修正テープの構造を提供することである。
【００１１】
本考案のもう１つの目的は、該回転蓋の内側の底縁に長弧形のエッジを設け、本体の底面に窪み状の長弧形のストッパーを形成し、両者が互いに接触した時を、回転して閉じる限界とする修正テープの構造を提供することである。
【００１２】
本考案のもう１つの目的は、該装飾片のデザインが文字、模様、図案である修正テープの構造を提供することである。または、該装飾片のデザインが、使用者が自ら準備した写真である。
【考案を実施するための最良の形態】
【００１３】
本考案の具体的な技術内容については、図を参照のこと。そのうち、図１は本考案の修正テープの立体分解図であり、図２は本考案の本体の立体図であり、図３は本考案の回転蓋の立体図であり、図４は本考案の別の視角からの立体分解図であり、図５は本考案の組立後の立体図である。
【００１４】
図１から図４のように、基本的に、本考案の修正テープは、本体１、および回転蓋２の組み合わせにより構成されている。
【００１５】
そのうち、本体１は公知のものであり、その内部の収納空間１１には、テープフィーダーおよびテープ巻取り機構があり、また本体１の片側にテープ出口１１１が設けられ、テープガイド(投影角度の関係で表示されていない)が該テープ出口１１１に固定されており、修正テープ体が該テープガイドに巻き込まれ、本体１にテープを収め、出す機能をもたせているが、これは公知技術であり、ここでは詳しく述べない。
【００１６】
実際には、該テープフィーダーおよびテープ巻取り機構、テープガイドは、公知の内蔵式に限られたものではなく、図のように、本考案ではカートリッジ１３を別途設け、抜き差しの方式で該収納空間１１内に結合できるようにしている。そのうち、該カートリッジ１３内部にテープフィーダーおよびテープ巻取り機構を接続し、修正テープ体をその前方に設けられたテープガイド１４に巻き込ませる。さらに、該カートリッジ１３を本体１に留めることができるようにするため、該カートリッジ１３の外側に柔軟留め具１５を設け、その上方を隆起させ、ボタン１５１を形成しており、下方にはフック１５２を延伸させ、カートリッジ１３を本体１の反対側の開口部１１２から挿入し、該フック１５２を本体１底部内側の留め溝１１３に留め、該カートリッジ１３を該収納空間１１内に収納できるようにしており、かつ該テープガイド１４は、本体の片側のテープ出口１１１から突き出している。
【００１７】
本考案が公知のものと異なるのは、該本体１の少なくとも１つの表面１１４の周縁内が、窪み部１１５で縁取られ、図のように、該本体１はつぶれた楕円形をしており、その窪み部１１５も同じ造形をしているが、この限りではなく、該窪み部の造形は本体と異なるようにすることもでき、後述する装飾片３を収納することができればよい。また、装飾片３の交換に便利なように、該窪み部１１５周縁に窪み状の凹み１１６を設け、指で該装飾片３を持ち上げられるようにしている。
【００１８】
特に進んだものの場合、後述する回転蓋２を本体１の装飾片３がある表面で回転させることができるようにするため、該表面１１４の適切な位置、例えば、テープ出口１１２の隣に軸穴１１７を設け、回転蓋２を軸で接続し、回転できるようにしている。そのうち、該軸穴１１７の周縁に、円弧形の位置決め溝１１８を設け、その両端の縁を該回転蓋２を回転させる際の限界とする。
【００１９】
回転蓋２は、寸法と形状が本体１と同じである蓋であり、その中央は、装飾片３を容納する窪み部１１５の位置に対応して覗き窓２１が形成されており、該覗き窓２１の実施時の寸法と形状は、装飾片３に対応しているのが好ましく、かつ該装飾片３を保護するため、該覗き窓２１は透明窓シート２２と結合させることができ、その実施時には、両者を溶かして結合しやすくするため、高分子樹脂材料、例えばポリエチレンテレフタレートフィルム(ＰＥＴ  Ｆｉｌｍ)またはアクリル片とすることが好ましいが、その限りでなく、該覗き窓２１と窓シート２２は、粘着により結合させることもできる。回転する機能をもたせるため、該回転蓋２の内側の片側に軸２３を突き出させ、該軸穴１１７に接続し、図のように、該軸２３は円弧柱２３１および両柱フック２３２の互いの間隔で囲まれて構成される。但し、該軸の構造は、上記のほぞに限られたものではなく、ネジ、突起などの構造部品とすることもでき、本考案の請求の範囲に属す。また、該軸２３の周縁にほぞ２４を突き出させ、該位置決め溝１１８内に入れ、回転の限界としている。
【００２０】
さらに、該回転蓋２を本体１に引っ掛け固定することができるようにするため、その反対側の可動側に接合片２５を設け、形成される水平方向の接合溝２５１内に突起点２５２をもたせる。本体１の片側の開口部１１２の縁は、嵌合片１１９を形成し、かつスリット１１０を設け(図４参照)、該嵌合片１１９を接合溝２５１内に嵌め込むことができるようにし、かつ突起点２５２をスリット１１０に引っ掛け、ロック状態を形成する。また、該回転蓋２の内側の底縁に長弧形のエッジ２６を設け、本体の底面には窪み状の長弧形のストッパー１６を形成し、両者が相互に接触する時に、回転し閉じる限界とする。
【００２１】
装飾片３は、１つのシートとし、例えば紙または樹脂フィルムのいずれでもよく、その表面には、文字、模様または図案などのデザイン３１、例えば商標および/または文字標示などが印刷されており、その寸法と形状は、窪み部１１５と同じであることが好ましいが、その限りでなく、該窪み部１１５内に収納できればよい。これによって、製造業者にとっては、商標および/または文字標示などのデザイン３１を先に装飾片３表面に印刷してから、該装飾片３を窪み部１１５内に置き、該回転蓋２を該本体１の片側に取り付け、回転蓋２を回し、本体１とロック状態を形成することにより、該装飾片３を本体１と回転蓋２の間に覆うことができ、その結合後の立体形態は、図５のとおりである。特に進んだものの場合、該装飾片３は、使用者が、写真、プリントシール、風景写真などを自分で準備し、使用者の希望を満たすこともできる。
【００２２】
図のように、消費者が本製品を取得した時に、本体１と回転蓋２のロックを外し、回転蓋２と本体１を回転させてやや一直線にし、消費者が、写真などの自分の好きな新しい装飾片３を本来の装飾片の寸法と造形に合わせて切り、窪み部１１５内に置き、該回転蓋２を反対向きに操作し、本体１に結合するだけで、新しい装飾片３への交換を自分で行なうことができ、比べ物にならないほど素早く便利である。
【００２３】
そのため、本考案の実施により、消費者は、装飾片を自分で素早く交換することができ、該装飾片の変更により、修正テープに個性的な特色またはスタイルをもたせることができる。また、製造業者にとっては、デザインを本体に印刷する面倒がなくなり、製造コストを削減することができ、これにより該製品のビジネスチャンスを拡大することもでき、製造のウィンウィンの結果ということができ、同類の製品における一大突破口ともいえる。
【００２４】
本考案で開示した内容は、比較的優れた実施例の一種であり、本考案の技術思想の局部的な変更または修飾を行ない、この技術に習熟した人が推測しやすいものは、本案の特許の範疇から外れない。
【００２５】
以上、本考案は、目的、手段、効果のいずれにおいても、公知の技術とは異なる特徴が存在しており、かつ考案は実用的であり、実用新案の要件に適合している。
【図面の簡単な説明】
【００２６】
【図１】本考案の修正テープの立体分解図である。
【図２】本考案の本体の立体図である。
【図３】本考案の回転蓋の立体図である。
【図４】本考案の別の視角からの立体分解図である。
【図５】本考案の組立後の立体図である。
【符号の説明】
【００２７】
１  本体
１１  収納空間
１１１  テープ出口
１１２  開口部
１１３  留め溝
１１４  表面
１１５  窪み部
１１６  凹み
１１７  軸穴
１１８  位置決め溝
１１９  嵌合片
１１０  スリット
１３  カートリッジ
１４  テープガイド
１５  柔軟留め具
１５１  ボタン
１５２  フック
１６  ストッパー
２  回転蓋
２１  覗き窓
２２  窓シート
２３  軸
２３１  円弧柱
２３２  柱フック
２４  ほぞ
２５  接合片
２５１  接合溝
２５２  突起点
２６  エッジ
３  装飾片
３１  デザイン
【図１】
0003129813.tif 000003
【図２】
0003129813.tif 000004
【図３】
0003129813.tif 000005
【図４】
0003129813.tif 000006
【図５】
0003129813.tif 000007